【事件の表示】
　特願２０１１−２２８８８５「電気光学装置および電子機器」拒絶査定不服審判事件〔平成２５年　５月１３日出願公開、特開２０１３−　８８６１０、請求項の数（１０）〕について、次のとおり審決する。
【結　論】
　原査定を取り消す。
　本願の発明は、特許すべきものとする。
【理　由】
第１　手続の経緯
特許出願：　平成２３年１０月１８日
拒絶査定：　平成２８年５月３０日（送達日：同年６月７日）
拒絶査定不服審判の請求：　平成２８年９月７日 
手続補正：　平成２８年９月７日 （以下、「本件補正」という。）
第２　本件補正の適否　
１．補正の内容
（１）請求項１，７，８について
本件補正は、特許請求の範囲の請求項１において、補正前の
「前記駆動回路は、第１期間に、前記データ線と初期電位を給電する第１給電線とを電気的に接続し、・・・」
　なる記載を、
「前記
制御
　とする補正（以下、「補正事項１−１」という。）を含んでいる。
　また同様に、特許請求の範囲の請求項７，８の「前記駆動回路は、・・・」なる記載をそれぞれ、「前記
制御
（２）請求項１について
　本件補正は、特許請求の範囲の請求項１において、補正前の
「前記第２期間の後の第３期間に、
　前記第３期間よりも前に供給された、階調レベルに応じたデータ信号を前記第３保持容量に保持し、
　前記第３期間に、前記第３保持容量に保持された前記データ信号を前記第１保持容量の他端に供給し、
　前記第３期間の後に、前記第２トランジスターをオフさせ、
　前記制御回路は、
　前記第３期間よりも前に、前記階調レベルに応じたデータ信号が前記第２スイッチの入力端に供給された状態で、前記第１スイッチをオフさせ、前記第２スイッチをオンさせ、　前記第３期間において、前記第２スイッチをオフとした状態で、前記第１スイッチをオンさせる
　ことを特徴とする電気光学装置。」
　なる記載を、
「前記第２期間の後の第３期間
よりも前であって、前記第１保持容量の他端と第２給電線との接続を維持した状態のときに、
　前記階調レベルに応じたデータ信号が前記第２スイッチの入力端に供給された状態で、前記第１スイッチをオフさせ、前記第２スイッチをオンさせ、
　前記第３期間
に、
　前記第２スイッチをオフとした状態で、前記第１スイッチをオンさせ
、
　前記第３期間の後に、前記第２トランジスターをオフさせる
　ことを特徴とする電気光学装置。」
　とする補正（以下、「補正事項１−２」という。）を含んでいる。
（３）請求項１０ないし１５について
　本件補正は、補正前の請求項１０ないし１４を削除し、またこれに対応して、補正前の請求項１５を請求項１０として、その「請求項１乃至１４のいずれかに記載の・・・」なる記載を、「請求項１乃至
９
２．補正の適否
（１）補正事項１−１，７，８について
　本件補正の補正事項１−１，７，８は、補正前に「駆動回路」とされていた誤記を、「制御回路」と正すものであって、誤記の訂正を目的とするものに該当する。
　
（２）補正事項１−２について
　本件補正の補正事項１−２は、拒絶査定において、
「また、補正後の請求項１の「第３期間に・・・データ信号を前記第３保持容量に保持し・・・前記第３期間において、前記第２スイッチをオフとした状態」という記載は、第２スイッチがオフであるにもかかわらず、第３保持容量にデータ信号を保持するという矛盾する記載であることを、付記する。」
　と指摘されたことに対応するものであって、明りょうでない記載の釈明を目的とするものに該当する。
（３）補正事項１０について
　本件補正の補正事項１０は、請求項の削除を目的とするものに該当する。
　上記のとおり、本件補正は、特許法第１７条の２第５項第１，３，４号の請求項の削除、誤記の訂正、及び明りょうでない記載の釈明を目的とするものに該当する。また、特許法第１７条の２第３項、第４項に違反するところはない。
　したがって、本件補正は、特許法第１７条の２第３項ないし第５項の規定に適合する。
第３　本願発明
　本件補正は上記のとおり、特許法第１７条の２第３項ないし第５項の規定に適合するから、本願の請求項１−１０に係る発明は、本件補正により補正された特許請求の範囲の請求項１―１０に記載された事項により特定される、以下のとおりのものである。
「【請求項１】
　複数の走査線と、
　複数のデータ線と、
　前記複数の走査線うち１の走査線と前記複数のデータ線のうち１のデータ線との交差に対応して設けられた画素回路と、
　制御回路と、
　前記画素回路を駆動する駆動回路と、を有し、
　前記画素回路は、
　第１トランジスターと、
　発光素子と、
　前記データ線と前記第１トランジスターのゲートとの間に接続され、オンまたはオフする第２トランジスターと、
　前記第１トランジスターにおけるゲートとドレインとの間に接続され、オンまたはオフする第３トランジスターと、
　を含み、
　前記第１トランジスターと前記発光素子とは、高位側の電源と低位側の電源との間で直列に接続され、
　前記駆動回路は、
　一端が前記１のデータ線に接続された第１保持容量と、
　前記１のデータ線の電位を保持する第２保持容量と、
　第３保持容量と、
　第１スイッチおよび第２スイッチと、
　を含み、
　前記第１スイッチの入力端は、前記第３保持容量の一端と前記第２スイッチの出力端に接続され、
　前記第１スイッチの出力端は、前記第１保持容量の他端に接続され、
　前記制御回路は、
　第１期間に、
　前記データ線と初期電位を給電する第１給電線とを電気的に接続し、前記第１保持容量の他端と所定電位を給電する第２給電線とを電気的に接続し、
　前記第１期間の後の第２期間内に、
　前記データ線と前記第１給電線とを電気的に非接続とし、前記第１保持容量の他端と第２給電線との接続を維持した状態で前記第２トランジスターおよび前記第３トランジスターをオンさせ、
　前記第２期間の後の第３期間よりも前であって、前記第１保持容量の他端と第２給電線との接続を維持した状態のときに、
　前記階調レベルに応じたデータ信号が前記第２スイッチの入力端に供給された状態で、前記第１スイッチをオフさせ、前記第２スイッチをオンさせ、
　前記第３期間に、
　前記第２スイッチをオフとした状態で、前記第１スイッチをオンさせ、
　前記第３期間の後に、前記第２トランジスターをオフさせる
　ことを特徴とする電気光学装置。
　　【請求項２】
　前記制御回路は、少なくとも前記第１期間または前記第２期間の少なくとも一部において、階調レベルに応じた前記データ信号が前記第２スイッチの入力端に供給された状態で、第１スイッチをオフさせ、前記第２スイッチをオンさせる
　ことを特徴とする請求項１に記載の電気光学装置。
　　【請求項３】
　前記複数のデータ線は２本以上のデータ線毎にグループ化され、一のグループに属する２本以上のデータ線に対応した前記第２スイッチの入力端は共通接続され、
　前記制御回路は、
　前記一のグループに属する複数の第２スイッチを、前記データ信号の供給に合わせて所定の順番でオンさせる
　ことを特徴とする請求項２に記載の電気光学装置。
　　【請求項４】
　前記画素回路は、
　前記発光素子における２端子のうち、前記第１トランジスター側の端子と、所定のリセット電位を給電する第３給電線との間でオンまたはオフする第４トランジスターを有する　ことを特徴とする請求項１乃至３のいずれかに記載の電気光学装置。
　　【請求項５】
　前記第３給電線は、前記１のデータ線に沿って設けられている
　ことを特徴とする請求項４に記載の電気光学装置。
　　【請求項６】
　前記第２保持容量の一端は前記１のデータ線に接続され、前記第２保持容量の他端は前記第３給電線に接続される
　ことを特徴とする請求項４に記載の電気光学装置。
　　【請求項７】
　前記制御回路は、前記第３期間内に、前記第３トランジスターをオフさせる
　ことを特徴とする請求項１乃至６のいずれかに記載の電気光学装置。
　　【請求項８】
　前記画素回路は、
　前記第１トランジスターによって前記発光素子に供給される電流経路に設けられ、オンまたはオフする第５トランジスターを有し、
　前記制御回路は、
　前記第４トランジスターをオフさせて、前記第５トランジスターをオンさせる
　ことを特徴とする請求項４に記載の電気光学装置。
　　【請求項９】
　前記第１保持容量の容量は、前記第２保持容量の容量よりも小さい
　ことを特徴とする請求項１乃至８のいずれかに記載の電気光学装置。
　　【請求項１０】
　請求項１乃至９のいずれかに記載の電気光学装置を備える
　ことを特徴とする電子機器。」（以下、それぞれ「本願発明１」ないし「本願発明１０」という。）
第４　原査定の理由の概要
　この出願の下記の請求項に係る発明は、その出願前に日本国内において頒布された下記の刊行物に記載された発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　　記　　　
・請求項１−３，７，９，１０，１５
・引用文献等１−２
・備考
　引用例１、特に図２，６−７に関連する記載の発明に、引用例２、特に図４−５に関連する記載の技術事項を用いることは、当業者が容易に想到できたものである。
・請求項４−９，１１−１５
・引用文献等１−３
・備考
　引用例１に記載された発明に、引用例３、特に図３−４に関連する記載の技術事項を用いることは、当業者が容易に想到できたものである。
　その際に、リセット電位である接地電位の供給を、データ線に沿って行うこと、及び、引用例１に記載された発明における第２保持容量の他端に接続された接地電位（図６参照）の供給を、第３給電線から行うことは、いずれも、リセット電位の供給線の配置に関する設計事項にすぎない。
＜引用文献等一覧＞
１．特開２０１１−５３６３５号公報
２．特開２００５−３１６３８１号公報
３．特開２００３−２０８１２７号公報
第５　当審の判断
１　刊行物の記載事項、引用発明
ア　原査定の拒絶の理由に引用された特開２０１１−５３６３５号公報（以下、「刊行物１」という。）には、「有機電界発光表示装置及びその駆動方法」（発明の名称）に関し、次の事項（ａ）ないし（ｅ）が図面とともに記載されている。（下線は当審による。以下同様。）
（ａ）
「【０００１】
  本発明は、有機電界発光表示装置及びその駆動方法に関し、特に、駆動トランジスタの閾値電圧及び第１電源の電圧降下を補償できるようにした有機電界発光表示装置及びその駆動方法に関する。」
（ｂ）
「【００２０】
  図２は、本実施形態による有機電界発光表示装置を示す図である。図２において、デマルチプレクサ（ｄｅｍｕｌｔｉｐｌｅｘｅｒ：以下「ＤＥＭＵＸ」という）１７０は、ｊ（ｊは２以上の自然数）本のデータ線に接続されるが、説明の便宜上、ｊを３と仮定する。
【００２１】
  図２に示すように、本実施形態による
有機電界発光表示装置
第１走査線Ｓ１１〜Ｓ１ｎ、第２走査線Ｓ２１〜Ｓ２ｎ、及び第２データ線Ｄ２１〜Ｄ２ｍの交差部に位置する画素１４０
ＤＥＭＵＸ１７０
共通回路部１６０
【００２２】
  また、本実施形態による有機電界発光表示装置は、出力線Ｏ１〜Ｏｉの各々に接続され、水平期間において、自身が接続した出力線（Ｏ１〜Ｏｉのいずれか１つ）に供給されるｊ個のデータ信号をｊ本の第１データ線に供給するためのＤＥＭＵＸ１７０と、ＤＥＭＵＸ１７０及び共通回路部１６０を制御するための
スイッチ制御部１８０
（ｃ）
「【００２８】
  共通回路部１６０は、第１データ線Ｄ１１〜Ｄ１ｍと第２データ線Ｄ２１〜Ｄ２ｍとの間に形成される。共通回路部１６０は、外部から初期電源Ｖｉｎｔ及び基準電源Ｖｒｅｆを受ける。初期電源Ｖｉｎｔ及び基準電源Ｖｒｅｆを受けた共通回路部１６０は、スイッチ制御部１８０の制御に対応して、自身と接続した第１データ線の電圧を制御する。
【００２９】
  
スイッチ制御部１８０は
制御信号ＣＳ１〜ＣＳ５を供給し
【００３０】
  画素１４０の各々は、外部から第１電源ＥＬＶＤＤ及び第２電源ＥＬＶＳＳを受ける。第１電源ＥＬＶＤＤ及び第２電源ＥＬＶＳＳを受けた画素１４０は、データ信号に対応して、第１電源ＥＬＶＤＤから有機発光ダイオード（図示せず）を経由して第２電源ＥＬＶＳＳに流れる電流量を制御しながら、所定輝度の光を生成する。
【００３１】
  図３は、図２に示す画素の実施形態を示す図である。図３では、説明の便宜上、第２ｍデータ線Ｄ２ｍ及び第１ｎ走査線Ｓ１ｎに接続された画素を示すものとする。
【００３２】
  図３に示すように、本実施形態による画素１４０は、有機発光ダイオードＯＬＥＤと、有機発光ダイオードＯＬＥＤに電流を供給するための画素回路１４２とを備える。
【００３３】
  
有機発光ダイオードＯＬＥＤ
【００３４】
  画素回路１４２は、データ信号に対応する所定の電圧を受け、前記電圧に対応する電流を有機発光ダイオードＯＬＥＤに供給する。このため、画素回路１４２は、第１ないし第４トランジスタＭ１〜Ｍ４と、ストレージキャパシタＣｓｔとを備える。
【００３５】
  
第１トランジスタＭ１の第１電極は、第２データ線Ｄ２ｍを経由して共通回路部１６０に接続され、第２電極は第２トランジスタＭ２のゲート電極に接続される。
第２走査線Ｓ２ｎに走査信号が供給されたときにターンオンされる。
【００３６】
  第２トランジスタＭ２の第１電極は第１電源ＥＬＶＤＤに接続され、第２電極は第４トランジスタＭ４の第１電極に接続される。また、第２トランジスタＭ２のゲート電極は第１トランジスタＭ１の第２電極に接続される。この
第２トランジスタＭ２は、自身のゲート電極に印加された電圧に対応する電流を、第４トランジスタＭ４を経由して有機発光ダイオードＯＬＥＤに供給する。
【００３７】
  
第３トランジスタＭ３の第１電極は第２トランジスタＭ２の第２電極に接続され、第２電極は第２トランジスタＭ２のゲート電極に接続される。
第１走査線Ｓ１ｎに走査信号が供給されたときにターンオンされる。
【００３８】
  第４トランジスタＭ４の第１電極は第２トランジスタＭ２の第２電極に接続され、第２電極は有機発光ダイオードＯＬＥＤのアノード電極に接続される。また、第４トランジスタＭ４のゲート電極は発光制御線Ｅｎに接続される。この第４トランジスタＭ４は、発光制御信号が供給されたときにターンオフされ、発光制御信号が供給されないときにターンオンされる。
【００３９】
  ストレージキャパシタＣｓｔは、第２トランジスタＭ２のゲート電極と第１電極との間に接続される。このストレージキャパシタＣｓｔは、第２トランジスタＭ２のゲート電極に印加される電圧に対応して所定の電圧を充電する。
【００４０】
  図４は、図２に示す共通回路部の実施例を示す図である。図４では、説明の便宜上、第１ｍデータ線Ｄ１ｍに接続された共通回路部を示すものとする。また、共通回路部は、垂直ライン単位で複数の画素に接続されるが、説明の便宜上、１つの画素のみを示すものとする。
【００４１】
  図４に示すように、
共通回路部１６０は、第１端子が第１データ線Ｄ１ｍに接続され、第２端子が第２データ線Ｄ２ｍに接続される第１キャパシタＣ１
を備える。
【００４２】
  第１共通トランジスタＣＭ１は、基準電源Ｖｒｅｆと第１キャパシタＣ１の第１端子との間に接続され、第１制御信号ＣＳ１が供給されたときにターンオンされる。第１共通トランジスタＣＭ１がターンオンされると、第１キャパシタＣ１の第１端子に基準電源Ｖｒｅｆの電圧が供給される。
【００４３】
  第２共通トランジスタＣＭ２は、初期電源Ｖｉｎｔと第１キャパシタＣ１の第２端子との間に接続され、第２制御信号ＣＳ２が供給されたときにターンオンされる。第２共通トランジスタＣＭ２がターンオンされると、第１キャパシタＣ１の第２端子に初期電源Ｖｉｎｔの電圧が供給される。
【００４４】
  第１キャパシタＣ１は、第１データ線Ｄ１ｍと第２データ線Ｄ２ｍとの間に形成される。この第１キャパシタＣ１は、ＤＥＭＵＸ１７０から供給されるデータ信号に対応して画素１４０に供給される電圧（すなわち、第２データ線Ｄ２ｍの電圧）を変化させる。
【００４５】
  図５は、図２に示すＤＥＭＵＸの実施形態を示す図である。図５では、説明の便宜上、ｉ番目の出力線Ｏｉに接続されたＤＥＭＵＸを示すものとする。
【００４６】
  図５に示すように、本発明の実施形態による
ＤＥＭＵＸ１７０の各々は
第１２トランジスタＭ１２とを備える。
（ｄ）
「【００５４】
  また、図６において、
データキャパシタＣｄａｔａ
【００５５】
  図７は、図６に示すＤＥＭＵＸ、共通回路部、及び画素の駆動方法を示すタイミングチャートである。
【００５６】
  図７に示すように、１水平期間１Ｈは、第１期間ないし第５期間ｔ１〜ｔ５に分割されて駆動される。
【００５７】
  まず、
第１期間ｔ１において、第１制御信号ＣＳ１及び第２制御信号ＣＳ２が供給される。
第１制御信号ＣＳ１は、第１期間ないし第４期間ｔ１〜ｔ４の間に供給され、第２制御信号ＣＳ２は第１期間ｔ１に供給される。
【００５８】
  
第１制御信号ＣＳ１が供給されると、
第２ノードＮ２（すなわち、第１キャパシタＣ１の第１端子）に基準電源Ｖｒｅｆの電圧が供給される。
【００５９】
  
第２制御信号ＣＳ２が供給されると、
第３ノードＮ３（すなわち、第１キャパシタＣ１の第２端子）に初期電源Ｖｉｎｔが供給される。
【００６０】
  一方、第１期間ｔ１において、第１トランジスタＭ１は、ターンオフ状態を維持するため、第１ノードＮ１（すなわち、第２トランジスタＭ２のゲート電極）は、前のフレーム期間に充電された電圧を維持する。
【００６１】
  
第２期間ｔ２には、第２走査線Ｓ２ｎに第２走査信号が供給され
第１トランジスタＭ１がターンオンされ
第２走査信号は、第２期間ないし第５期間ｔ２〜ｔ５の間に供給される。
【００６２】
  
第３期間ｔ３には、第１走査線Ｓ１ｎに第１走査信号が供給され
第３トランジスタＭ３がターンオンされる。
（ｅ）
「【００７４】
  
第５期間ｔ５の後、
第１トランジスタＭ１がターンオフされる。
　上記記載（ａ）ないし（ｅ）及び図面の図２ないし図８の記載から、刊行物１には、
「第２走査線Ｓ２１〜Ｓ２ｎと、
　第２データ線Ｄ２１〜Ｄ２ｍと、
　第１走査線Ｓ１１〜Ｓ１ｎ、第２走査線Ｓ２１〜Ｓ２ｎ、及び第２データ線Ｄ２１〜Ｄ２ｍの交差部に位置する画素１４０と、（【００２１】参照。）
　スイッチ制御部１８０と、（【００２２】参照。）
　ＤＥＭＵＸ１７０と、共通回路部１６０と（【００２１】参照。）、データキャパシタＣｄａｔａ（【００５４】参照。）と、を備え、
　前記画素１４０は、
　第２トランジスタＭ２と、（【００３６】参照。）
　有機発光ダイオードＯＬＥＤと、（【００３３】参照。）
　第１電極は、第２データ線Ｄ２ｍを経由して共通回路部１６０に接続され、第２電極は第２トランジスタＭ２のゲート電極に接続され、第２走査線Ｓ２ｎに走査信号が供給されたときにターンオンされる第１トランジスタＭ１と、（【００３５】参照。）
　第１電極は第２トランジスタＭ２の第２電極に接続され、第２電極は第２トランジスタＭ２のゲート電極に接続され、第１走査線Ｓ１ｎに走査信号が供給されたときにターンオンされる第３トランジスタＭ３と、（【００３７】参照。）
　を備え、
　第２トランジスタＭ２は、自身のゲート電極に印加された電圧に対応する電流を、第４トランジスタＭ４を経由して有機発光ダイオードＯＬＥＤに供給し、（【００３６】参照。）
　前記ＤＥＭＵＸ１７０と、共通回路部１６０と、データキャパシタＣｄａｔａとは、
　第１端子が第１データ線Ｄ１ｍに接続され、第２端子が第２データ線Ｄ２ｍに接続される第１キャパシタＣ１（【００４１】参照。）と、
　データキャパシタＣｄａｔａと、
　ＤＥＭＵＸ１７０の備える第１２トランジスタＭ１２（【００４６】参照。）と、
　を備え、
　前記スイッチ制御部１８０は（【００２９】参照。）、第１期間ｔ１において、第１制御信号ＣＳ１及び第２制御信号ＣＳ２を供給し（【００５７】参照。）、第１制御信号ＣＳ１が供給されると、第２ノードＮ２（すなわち、第１キャパシタＣ１の第１端子）に基準電源Ｖｒｅｆの電圧が供給され（【００５８】参照。）、第２制御信号ＣＳ２が供給されると、第３ノードＮ３（すなわち、第１キャパシタＣ１の第２端子）に初期電源Ｖｉｎｔが供給され（【００５９】参照。）、
　第１制御信号ＣＳ１は、第１期間ないし第４期間ｔ１〜ｔ４の間に供給され、第２制御信号ＣＳ２は第１期間ｔ１に供給され（【００５７】参照。）、第２期間ｔ２には、第２走査線Ｓ２ｎに第２走査信号が供給されて第１トランジスタＭ１がターンオンされ、第２走査信号は、第２期間ないし第５期間ｔ２〜ｔ５の間に供給され（【００６１】参照。）、第３期間ｔ３には、第１走査線Ｓ１ｎに第１走査信号が供給されて第３トランジスタＭ３がターンオンされ（【００６２】参照。）、
　第５期間ｔ５の後、第１トランジスタＭ１がターンオフされる（【００７４】参照。）
有機電界発光表示装置（【００２１】参照。）。」
　の発明（以下、「引用発明１」という。）が記載されている。
イ　原査定の拒絶の理由に引用された特開２００５−３１６３８１号公報（以下、「刊行物２」という。）には、「エレクトロルミネセンス表示装置」（発明の名称）に関し、次の事項（ａ）ないし（ｃ）が図面とともに記載されている。
（ａ）
「【０００１】
  本発明は
エレクトロルミネセンス表示装置
（ｂ）
「【００３７】
  図４を参照すると、本発明の第１実施態様に係るエレクトロルミネセンス表示装置はスキャン電極ライン(SL１乃至SLn)とデータ電極ライン(DL１乃至DLm)の交差で定義された領域ごとに配列された画素セル(PE)を含むEL表示パネル１１６と、スキャン電極ライン(SL１乃至SLn)を駆動するためのスキャンドライバ１１８と、データ電極ライン(DL１乃至DLm)を駆動するためのデータドライバ１２０と、データドライバ１２０の出力チャンネルの中から一つの出力チャンネルのそれぞれをK個(ただ、Kは２以上の陽の定数)のデータ電極ライン(DL１乃至DLK)に選択的に接続させるための多数のマルチフレクサー(MUX)を含むマルチフレクサー部１５０と、データドライバ１２０及びスキャンドライバ１１８のそれぞれの駆動タイミングを制御することと同時にマルチフレクサー部１５０を駆動させるためのタイミング制御部１２８とを具備する。」
（ｃ）
「【００４４】
  
マルチフレクサー部１５０のデータ電極ライン(DL)のそれぞれに接続されたM個のライティングスイッチング素子(W１乃至Wm)と、M個のライティングスイッチング素子(W１乃至Wm)のそれぞれに接続されたM個のバッファ(B１乃至Bm)と、M個のバッファ(B１乃至Bm)のそれぞれに接続されることと同時にK個の単位でデータドライバ１２０の出力チャンネルのそれぞれに共通に接続されるM個のマルチフレクサースイッチング素子(M１乃至Mm)と、マルチフレクサースイッチング素子(M)とバッファ(B)の間のノードと基底電圧ライン(GND)の間に接続されたM個のキャパシタ(C１乃至Cm)とを具備する。
　・・・
【００４８】
  
M個のバッファ(B１乃至Bm)のそれぞれはM個のキャパシタ(C１乃至Cm)のそれぞれに保存されたデータ電圧がM個のライティングスイッチング素子(W１乃至Wm)を経由してデータ電極ライン(DL)に供給されるように信号緩衝する役目をする
　上記記載（ａ）ないし（ｃ）及び図４の記載から、刊行物２には、
「マルチフレクサー部１５０のデータ電極ライン(DL)のそれぞれに接続されたM個のライティングスイッチング素子(W１乃至Wm)と、M個のライティングスイッチング素子(W１乃至Wm)のそれぞれに接続されたM個のバッファ(B１乃至Bm)と、M個のバッファ(B１乃至Bm)のそれぞれに接続されることと同時にK個の単位でデータドライバ１２０の出力チャンネルのそれぞれに共通に接続されるM個のマルチフレクサースイッチング素子(M１乃至Mm)と、マルチフレクサースイッチング素子(M)とバッファ(B)の間のノードと基底電圧ライン(GND)の間に接続されたM個のキャパシタ(C１乃至Cm)とを具備し、
　M個のバッファ(B１乃至Bm)のそれぞれはM個のキャパシタ(C１乃至Cm)のそれぞれに保存されたデータ電圧がM個のライティングスイッチング素子(W１乃至Wm)を経由してデータ電極ライン(DL)に供給されるように信号緩衝する役目をする
　エレクトロルミネセンス表示装置。」
　の発明（以下、「引用発明２」という。）が記載されている。
ウ　原査定の拒絶の理由に引用された特開２００３−２０８１２７号公報（以下、「刊行物３」という。）には、「表示装置」（発明の名称）に関し、次の事項（ａ）ないし（ｂ）が図面とともに記載されている。
（ａ）
「【０００１】
【発明の属する技術分野】本発明は表示装置に関し、特にアクティブマトリックス型表示装置の表示品位を改善する技術に関する。」
（ｂ）
「【００３２】実施の形態３：図３、図４は実施の形態３に係る表示装置の一画素の回路を示す。実施の形態１、２ではスイッチング素子として機能する第３のトランジスタＴｒ３が電源供給線Ｖｄｄと駆動回路１０の間に設けられたが、実施の形態３では駆動回路１０と有機発光ダイオードＯＬＥＤの間に設ける。従って、図３に示す回路は、実施の形態１の図１に示した回路の第３のトランジスタＴｒ３と第２のトランジスタＴｒ２の接続順序を入れ替えた回路であり、同様に図４に示す回路は、実施の形態２の図２に示した回路の第３のトランジスタＴｒ３と第２のトランジスタＴｒ２の接続順序を入れ替えた回路である。
【００３３】これら回路の動作はそれぞれ実施の形態１および２の回路の動作と同様なので省略する。また、得られる効果も同様である。ただし、実施の形態１および２では、第３のトランジスタＴｒ３をオフにした際に、輝度データにあたえる影響、つまり第２のトランジスタＴｒ２のゲート電極に与える影響を抑えるために第１の保持容量ＳＣ１を設けた。実施の形態３では、第３のトランジスタＴｒ３を第２のトランジスタＴｒ２と有機発光ダイオードＯＬＥＤの間に設けたことで、第３のトランジスタＴｒ３がオフとなった場合でも第２のトランジスタＴｒ２のゲート電極にあたえる影響を取り除くことができる。
【００３４】以上、本発明を実施の形態をもとに説明した。この実施の形態は例示であり、それら各構成要素や各処理プロセスの組合せにいろいろな変形例が可能なこと、またそうした変形例も本発明の範囲であることは当業者に理解されるところである。そうした変形例を挙げる。」
２　対比
　本願発明１と引用発明１とを対比する。 
　まず、引用発明１における「第２走査線Ｓ２１〜Ｓ２ｎ」、「第２データ線Ｄ２１〜Ｄ２ｍ」、「第１走査線Ｓ１１〜Ｓ１ｎ、第２走査線Ｓ２１〜Ｓ２ｎ、及び第２データ線Ｄ２１〜Ｄ２ｍの交差部に位置する画素１４０」、及び「スイッチ制御部１８０」は、それぞれ本願発明１の「複数の走査線」、「複数のデータ線」、「前記複数の走査線うち１の走査線と前記複数のデータ線のうち１のデータ線との交差に対応して設けられた画素回路」、及び「制御回路」に相当し、同様に、引用発明１の「ＤＥＭＵＸ１７０と、共通回路部１６０と、データキャパシタＣｄａｔａと」を含む回路構成が、本願発明１の「前記画素回路を駆動する駆動回路」に相当する。
　また、引用発明１の画素１４０が備える、「第２トランジスタＭ２」、「有機発光ダイオードＯＬＥＤ」、「第１電極は、第２データ線Ｄ２ｍを経由して共通回路部１６０に接続され、第２電極は第２トランジスタＭ２のゲート電極に接続され、第２走査線Ｓ２ｎに走査信号が供給されたときにターンオンされる第１トランジスタＭ１」、及び「第１電極は第２トランジスタＭ２の第２電極に接続され、第２電極は第２トランジスタＭ２のゲート電極に接続され、第１走査線Ｓ１ｎに走査信号が供給されたときにターンオンされる第３トランジスタＭ３」は、それぞれ本願発明１の「第１トランジスター」、「発光素子」、「前記データ線と前記第１トランジスターのゲートとの間に接続され、オンまたはオフする第２トランジスター」、及び「前記第１トランジスターにおけるゲートとドレインとの間に接続され、オンまたはオフする第３トランジスター」に相当する。
　次に、引用発明１において「第２トランジスタＭ２は、自身のゲート電極に印加された電圧に対応する電流を、第４トランジスタＭ４を経由して有機発光ダイオードＯＬＥＤに供給」するとされており、また図３の記載から見ても、「第２トランジスタＭ２」と「有機発光ダイオードＯＬＥＤ」とが、高位側の電源と低位側の電源との間で直列に接続されていることは明らかといえる。したがって、引用発明１において「第２トランジスタＭ２は、自身のゲート電極に印加された電圧に対応する電流を、第４トランジスタＭ４を経由して有機発光ダイオードＯＬＥＤに供給」することは、本願発明１において「前記第１トランジスターと前記発光素子とは、高位側の電源と低位側の電源との間で直列に接続され」ていることに相当する。
　さらに、引用発明１の「第１端子が第１データ線Ｄ１ｍに接続され、第２端子が第２データ線Ｄ２ｍに接続される第１キャパシタＣ１」、「データキャパシタＣｄａｔａ」、及び「ＤＥＭＵＸ１７０の備える第１２トランジスタＭ１２」は、それぞれ本願発明１の「一端が前記１のデータ線に接続された第１保持容量」、「前記１のデータ線の電位を保持する第２保持容量」、及び「第２スイッチ」に相当するものであるから、引用発明１の「ＤＥＭＵＸ１７０と、共通回路部１６０と、データキャパシタＣｄａｔａと」を含む回路構成が、「第１端子が第１データ線Ｄ１ｍに接続され、第２端子が第２データ線Ｄ２ｍに接続される第１キャパシタＣ１と、データキャパシタＣｄａｔａと、ＤＥＭＵＸ１７０の備える第１２トランジスタＭ１２と」を備えることと、本願発明１において「前記駆動回路は、一端が前記１のデータ線に接続された第１保持容量と、前記１のデータ線の電位を保持する第２保持容量と、第３保持容量と、第１スイッチおよび第２スイッチと、を含」むこととは、「前記駆動回路は、一端が前記１のデータ線に接続された第１保持容量と、前記１のデータ線の電位を保持する第２保持容量と、第２スイッチと、を含」む点で共通する。
　また、引用発明１において「前記スイッチ制御部１８０は、第１期間ｔ１において、第１制御信号ＣＳ１及び第２制御信号ＣＳ２を供給し、第１制御信号ＣＳ１が供給されると、第２ノードＮ２（すなわち、第１キャパシタＣ１の第１端子）に基準電源Ｖｒｅｆの電圧が供給され、第２制御信号ＣＳ２が供給されると、第３ノードＮ３（すなわち、第１キャパシタＣ１の第２端子）に初期電源Ｖｉｎｔが供給され、第１制御信号ＣＳ１は、第１期間ないし第４期間ｔ１〜ｔ４の間に供給され、第２制御信号ＣＳ２は第１期間ｔ１に供給され、第２期間ｔ２には、第２走査線Ｓ２ｎに第２走査信号が供給されて第１トランジスタＭ１がターンオンされ、第２走査信号は、第２期間ないし第５期間ｔ２〜ｔ５の間に供給され、第３期間ｔ３には、第１走査線Ｓ１ｎに第１走査信号が供給されて第３トランジスタＭ３がターンオンされ」ることは、本願発明１において「前記制御回路は、第１期間に、前記データ線と初期電位を給電する第１給電線とを電気的に接続し、前記第１保持容量の他端と所定電位を給電する第２給電線とを電気的に接続し、前記第１期間の後の第２期間内に、前記データ線と前記第１給電線とを電気的に非接続とし、前記第１保持容量の他端と第２給電線との接続を維持した状態で前記第２トランジスターおよび前記第３トランジスターをオンさせ」ることに相当する。
　そして、引用発明１において「第５期間ｔ５の後、第１トランジスタＭ１がターンオフされる」ことは、本願発明１において「前記第３期間の後に、前記第２トランジスターをオフさせる」ことに相当し、また引用発明１の「有機電界発光表示装置」は下記相違点を除いて本願発明１の「電気光学装置」に相当する。
　してみると、両者の一致点及び相違点は、以下のとおりである。
　                        
（一致点）
「複数の走査線と、
　複数のデータ線と、
　前記複数の走査線うち１の走査線と前記複数のデータ線のうち１のデータ線との交差に対応して設けられた画素回路と、
　制御回路と、
　前記画素回路を駆動する駆動回路と、を有し、
　前記画素回路は、
　第１トランジスターと、
　発光素子と、
　前記データ線と前記第１トランジスターのゲートとの間に接続され、オンまたはオフする第２トランジスターと、
　前記第１トランジスターにおけるゲートとドレインとの間に接続され、オンまたはオフする第３トランジスターと、
　を含み、
　前記第１トランジスターと前記発光素子とは、高位側の電源と低位側の電源との間で直列に接続され、
　前記駆動回路は、
　一端が前記１のデータ線に接続された第１保持容量と、
　前記１のデータ線の電位を保持する第２保持容量と、
　第２スイッチと、
　を含み、
　前記制御回路は、
　第１期間に、
　前記データ線と初期電位を給電する第１給電線とを電気的に接続し、前記第１保持容量の他端と所定電位を給電する第２給電線とを電気的に接続し、
　前記第１期間の後の第２期間内に、
　前記データ線と前記第１給電線とを電気的に非接続とし、前記第１保持容量の他端と第２給電線との接続を維持した状態で前記第２トランジスターおよび前記第３トランジスターをオンさせ、
　前記第３期間の後に、前記第２トランジスターをオフさせる
　ことを特徴とする電気光学装置。」
　
　（相違点）　
　本願発明１は、「第３保持容量」及び「第１スイッチ」を備え、また「前記第１スイッチの入力端は、前記第３保持容量の一端と前記第２スイッチの出力端に接続され、前記第１スイッチの出力端は、前記第１保持容量の他端に接続され」ており、さらに「前記第２期間の後の第３期間よりも前であって、前記第１保持容量の他端と第２給電線との接続を維持した状態のときに、前記階調レベルに応じたデータ信号が前記第２スイッチの入力端に供給された状態で、前記第１スイッチをオフさせ、前記第２スイッチをオンさせ、前記第３期間に、前記第２スイッチをオフとした状態で、前記第１スイッチをオンさせ」るのに対し、引用発明１においては　そのような構成を有さない点。
３　判断
　上記相違点について検討する。
　引用発明２（上記「１　刊行物の記載事項、引用発明」イ）は、
「マルチフレクサー部１５０のデータ電極ライン(DL)のそれぞれに接続されたM個のライティングスイッチング素子(W１乃至Wm)と、M個のライティングスイッチング素子(W１乃至Wm)のそれぞれに接続されたM個のバッファ(B１乃至Bm)と、M個のバッファ(B１乃至Bm)のそれぞれに接続されることと同時にK個の単位でデータドライバ１２０の出力チャンネルのそれぞれに共通に接続されるM個のマルチフレクサースイッチング素子(M１乃至Mm)と、マルチフレクサースイッチング素子(M)とバッファ(B)の間のノードと基底電圧ライン(GND)の間に接続されたM個のキャパシタ(C１乃至Cm)とを具備」
　する構成を有しており、これは上記相違点における、「第３保持容量」及び「第１スイッチ」を備え、また「前記第１スイッチの入力端は、前記第３保持容量の一端と前記第２スイッチの出力端に接続され、前記第１スイッチの出力端は、前記第１保持容量の他端に接続され」た構成に相当するものを含んでいる。また、引用発明２は「エレクトロルミネセンス表示装置」であるから、「有機電界発光表示装置」である引用発明１と産業上の利用分野を共通するものといえる。
　しかしながら、引用発明２はその構成として、「M個のキャパシタ(C１乃至Cm)のそれぞれに保存されたデータ電圧がM個のライティングスイッチング素子(W１乃至Wm)を経由してデータ電極ライン(DL)に供給されるように信号緩衝する役目をする」ための「M個のバッファ(B１乃至Bm)」を有しており、データ電極ラインに対してデータ電圧を供給するものとされている。一方、引用発明１は、その構成から見て、データ線へ電荷を供給することを前提とするものであり、そのような引用発明１に対して引用発明２を適用する動機を見いだすことはできない。なお、刊行物３にも上記相違点の構成に相当する技術事項の記載はない。
　したがって、本願発明１は、引用発明１及び引用発明２に基づいて、当業者が容易に発明をすることができたとはいえない。
　また、本願発明１を直接又は間接的に引用する本願発明２ないし１０は、本願発明１をさらに限定した発明であるから、同様の理由により、当業者が引用発明１及び引用発明２に基づいて容易に発明をすることができたものではない。
第６　むすび
　以上のとおり、本願の請求項１−１０に係る発明は、いずれも、当業者が引用発明１及び引用発明２に基づいて容易に発明をすることができたものではないから、原査定の拒絶理由を検討してもその理由によって拒絶すべきものとすることはできない。
　また、他に本願を拒絶すべき理由を発見しない。 
　よって、結論のとおり審決する。